(57)【要約】【課題】広告の波及効果を高めると共に、広告効果を適切に評価する。【解決手段】配信制御部１４で、車外に向けて広告を表示する表示装置５８を搭載した提示車両から位置情報を取得し、広告対象の店舗Ｘの所定範囲内に提示車両が存在する場合には、提示車両に店舗Ｘの広告を示す情報を配信する。視聴判定部１６で、提示車両と提示車両の視聴車両との相対位置関係に基づいて、視聴車両の乗員が広告を視聴したか否かを判定する。移動先推定部１８で、視聴車両で設定された経路情報等に基づいて、視聴車両の移動先を推定する。視聴車両の乗員が広告を視聴したと判定され、かつ視聴車両の移動先が店舗Ｘ周辺であると推定された場合に、ポイント付与部２０で、提示車両にポイントを付与する。【選択図】図２
2013020432.tif 000002
【特許請求の範囲】
【請求項１】
車外に向けて広告を提示するための提示手段を搭載した提示車両が、広告対象から所定範囲内に存在する場合に、前記提示車両に搭載された提示手段に前記広告対象の広告が提示されるように該広告を示す情報を前記提示車両に配信する配信手段と、
前記提示車両と該提示車両周辺に存在する他車両との相対位置関係に基づいて、前記他車両の乗員が前記提示車両に搭載された提示手段に提示された広告を視聴したか否かを判定する視聴判定手段と、
前記他車両における経路検索で設定された経路、過去の移動履歴から推定される移動先、及び該他車両の現在位置から前記広告対象までの経路コストの少なくとも１つに基づいて、前記他車両が前記広告対象周辺へ移動するか否かを推定する推定手段と、
前記視聴判定手段による判定結果、及び前記推定手段による推定結果に基づいて、前記提示車両による広告効果を評価する評価手段と、
を含む広告提示装置。
【請求項２】
前記評価手段は、前記視聴判定手段により前記他車両の乗員が広告を視聴したと判定され、かつ前記推定手段により前記他車両が前記広告対象周辺へ移動すると推定された場合に、前記広告効果が高いと評価する請求項１記載の広告提示装置。
【請求項３】
前記評価手段による評価結果に基づいて、前記提示車両に対してポイントを付与する付与手段を含む請求項１または請求項２記載の広告提示装置。
【請求項４】
前記視聴判定手段は、前記提示車両と前記他車両との距離が所定範囲内で、かつ前記他車両の乗員の視覚範囲内に前記提示手段が存在する場合に、前記他車両の乗員が前記提示車両に搭載された提示手段に提示された広告を視聴したと判定する請求項１〜請求項３のいずれか１項記載の広告提示装置。
【請求項５】
前記視聴判定手段は、前記他車両に搭載された前方車両検出手段の検出結果、前記提示車両に搭載された後続車両検出手段の検出結果、及び前記提示車両または前記他車両において検出された前記他車両の乗員の視線方向の少なくとも１つに基づいて、前記他車両の乗員の視覚範囲内に前記提示手段が存在するか否かを判定する請求項４記載の広告提示装置。
【請求項６】
前記視聴判定手段は、前記提示車両の後部に該提示車両の後続車両に向けて前記提示手段が搭載されている場合に、前記提示車両が前記他車両の前方の所定範囲内に存在し、かつ前記提示車両の移動方向と前記他車両の移動方向との差が所定範囲内の場合に、前記他車両の乗員が前記提示車両に搭載された提示手段に提示された広告を視聴したと判定する請求項１〜請求項５のいずれか１項記載の広告提示装置。
【請求項７】
前記視聴判定手段による判定結果、及び前記広告対象への入店または購買を示す該広告対象の利用履歴に基づいて、前記他車両の乗員が、前記広告を視聴した後に前記広告対象を利用したか否かを判定する利用判定手段と、を含み、
前記評価手段は、さらに、前記利用判定手段の判定結果に基づいて、前記提示車両による広告効果を評価する
請求項１〜請求項６のいずれか１項記載の広告提示装置。
【請求項８】
車外に向けて広告を提示するための提示手段を搭載した提示車両が、広告対象から所定範囲内に駐車した場合に、前記提示車両に搭載された提示手段に前記広告対象の広告が提示されるように該広告を示す情報を前記提示車両に配信する配信手段と、
前記所定範囲内に存在する他者の位置情報、または前記広告対象への入店または購買を示す該広告対象の同時間帯における利用履歴に基づいて、前記他者が前記提示車両に搭載された提示手段に提示された広告を視聴したか否かを判定する視聴判定手段と、
前記他者の前記利用履歴に基づいて、前記他者が前記広告対象へ入店するか否かを推定する推定手段と、
前記視聴判定手段による判定結果、及び前記推定手段による推定結果に基づいて、前記提示車両による広告効果を評価する評価手段と、
を含む広告提示装置。
【請求項９】
前記配信手段は、前記所定範囲内に複数の提示車両が駐車された場合には、該複数の提示車両に搭載された提示手段各々を用いて、１つの広告が提示されるように該広告を示す情報を前記提示車両各々に配信する請求項８記載の広告提示装置。
【請求項１０】
車外に向けて広告を提示するための提示手段と、位置情報を含む提示車両である自車両の情報を送信する第１送信手段と、配信された広告を前記提示手段に提示するように制御する提示制御手段と、を含む提示車両側に搭載される提示側装置と、
前記提示車両と該提示車両に対して他車両となる自車両との相対位置関係に基づいて、前記他車両の乗員が前記提示車両に搭載された提示手段に提示された広告を視聴したか否かを判定する視聴判定手段と、前記他車両における経路検索で設定された経路、過去の移動履歴から推定される移動先、及び該他車両の現在位置から前記広告対象までの経路コストの少なくとも１つに基づいて、前記他車両が前記広告対象周辺へ移動するか否かを推定する推定手段と、前記視聴判定手段の判定結果、及び前記推定手段の推定結果を送信する第２送信手段と、を含む他車両側に搭載される他車両側装置と、
前記提示車両から取得した該提示車両の情報に基づいて、該提示車両が広告対象から所定範囲内に存在すると判定した場合に、前記提示車両に前記広告対象の広告を示す情報を配信する配信手段と、前記他車両から取得した前記視聴判定手段による判定結果、及び前記推定手段による推定結果に基づいて、前記提示車両による広告効果を評価する評価手段と、を含む広告提示装置と、
を含む広告提示システム。
【請求項１１】
コンピュータを、請求項１〜請求項９のいずれか１項記載の広告提示装置を構成する各手段として機能させるための広告提示プログラム。
【発明の詳細な説明】
【技術分野】
【０００１】
本発明は、広告提示装置、システム、及びプログラムに係り、特に、車両に搭載された提示装置に広告を提示する広告提示装置、システム、及びプログラムに関する。
【背景技術】
【０００２】
従来、通信手段によって地域毎の広告表示規制情報を得ることにより、車両の外面に設置する広告表示手段に表示される広告の内容を変更する広告車両用制御装置が提案されている（例えば、特許文献１参照）。
【０００３】
また、通信手段によって、ドライバ向けに広告を配信するシステムにおいて、広告を視聴した際にインセンティブを与えることにより、その広告効果を高める広告配信システムが提案されている（例えば、特許文献２参照）。
【０００４】
また、車載用広告手段において、広告を提示した端末がＰＯＩ（Ｐｏｉｎｔ  ｏｆ  Ｉｎｔｅｒｅｓｔ）にたどり着いた場合に広告主に課金することにより、実際に購買行動に結びついた広告を行うナビゲーションシステムが提案されている（例えば、特許文献３参照）。
【０００５】
また、車載用広告手段において、広告を参照してから一定時間内に購買行動を起こした場合に広告主に課金することにより、実際の購買行動に結びついた広告を行うナビゲーションシステムが提案されている（例えば、特許文献４参照）。
【先行技術文献】
【特許文献】
【０００６】
【特許文献１】特開２０１０−５４６７３号公報
【特許文献２】特開２００９−８６１５４号公報
【特許文献３】特開２００８−１９７９３０号公報
【特許文献４】特開２００８−２４２９７６号公報
【発明の概要】
【発明が解決しようとする課題】
【０００７】
しかしながら、特許文献１の技術では、車両の外面に設置した広告手段に提示された広告を、第三者が視聴したか否かを把握することができず、広告効果を適切に評価することができない、という問題がある。
【０００８】
また、特許文献２〜４の技術では、広告が配信された車両のドライバ以外への広告の波及効果がない、という問題がある。
【０００９】
本発明は、上記の問題点を解決するためになされたもので、広告の波及効果を高めると共に、広告効果を適切に評価することができる広告提示装置、システム、及びプログラムを提供することを目的とする。
【課題を解決するための手段】
【００１０】
上記目的を達成するために、第１の発明の広告提示装置は、車外に向けて広告を提示するための提示手段を搭載した提示車両が、広告対象から所定範囲内に存在する場合に、前記提示車両に搭載された提示手段に前記広告対象の広告が提示されるように該広告を示す情報を前記提示車両に配信する配信手段と、前記提示車両と該提示車両周辺に存在する他車両との相対位置関係に基づいて、前記他車両の乗員が前記提示車両に搭載された提示手段に提示された広告を視聴したか否かを判定する視聴判定手段と、前記他車両における経路検索で設定された経路、過去の移動履歴から推定される移動先、及び該他車両の現在位置から前記広告対象までの経路コストの少なくとも１つに基づいて、前記他車両が前記広告対象周辺へ移動するか否かを推定する推定手段と、前記視聴判定手段による判定結果、及び前記推定手段による推定結果に基づいて、前記提示車両による広告効果を評価する評価手段と、を含んで構成されている。
【００１１】
第１の発明の広告提示装置によれば、配信手段が、車外に向けて広告を提示するための提示手段を搭載した提示車両が、広告対象から所定範囲内に存在する場合に、提示車両に搭載された提示手段に広告対象の広告が提示されるように広告を示す情報を提示車両に配信する。そして、視聴判定手段が、提示車両と提示車両周辺に存在する他車両との相対位置関係に基づいて、他車両の乗員が提示車両に搭載された提示手段に提示された広告を視聴したか否かを判定する。また、推定手段が、他車両における経路検索で設定された経路、過去の移動履歴から推定される移動先、及び該他車両の現在位置から広告対象までの経路コストの少なくとも１つに基づいて、他車両が広告対象周辺へ移動するか否かを推定する。そして、評価手段が、視聴判定手段による判定結果、及び推定手段による推定結果に基づいて、提示車両による広告効果を評価する。
【００１２】
このように、提示車両が車外に向けて広告を提示し、他車両の乗員が提示車両に提示された広告を視聴したか否かの判定結果、及び他車両が広告対象周辺に移動するか否かの推定結果に基づいて、提示車両による広告効果を評価するため、広告の波及効果を高めると共に、広告効果を適切に評価することができる。
【００１３】
また、第１の発明において、前記評価手段は、前記視聴判定手段により前記他車両の乗員が広告を視聴したと判定され、かつ前記推定手段により前記他車両が前記広告対象周辺へ移動すると推定された場合に、前記広告効果が高いと評価することができる。
【００１４】
また、第１の発明の広告提示装置は、前記評価手段による評価結果に基づいて、前記提示車両に対してポイントを付与する付与手段を含んで構成することができる。これにより、適切な評価に基づいて、適切にポイントを付与することができる。
【００１５】
また、第１の発明において、前記視聴判定手段は、前記提示車両と前記他車両との距離が所定範囲内で、かつ前記他車両の乗員の視覚範囲内に前記提示手段が存在する場合に、前記他車両の乗員が前記提示車両に搭載された提示手段に提示された広告を視聴したと判定することができる。提示車両と他車両との相対位置関係が、このような関係にある場合には、他車両の乗員は提示車両を目視する可能性が高く、他車両の乗員が広告を視聴したと判定することができる。
【００１６】
また、第１の発明において、前記視聴判定手段は、前記他車両に搭載された前方車両検出手段の検出結果、前記提示車両に搭載された後続車両検出手段の検出結果、及び前記提示車両または前記他車両において検出された前記他車両の乗員の視線方向の少なくとも１つに基づいて、前記他車両の乗員の視覚範囲内に前記提示手段が存在するか否かを判定することができる。これにより、より正確に提示車両と他車両との相対位置関係を把握して、他車両の乗員が広告を視聴したと判定することができる。
【００１７】
また、第１の発明において、前記視聴判定手段は、前記提示車両の後部に該提示車両の後続車両に向けて前記提示手段が搭載されている場合に、前記提示車両が前記他車両の前方の所定範囲内に存在し、かつ前記提示車両の移動方向と前記他車両の移動方向との差が所定範囲内の場合に、前記他車両の乗員が前記提示車両に搭載された提示手段に提示された広告を視聴したと判定することができる。提示車両と他車両との相対位置関係が、このような関係にある場合には、他車両は提示車両の後続車両であり、他車両の乗員は提示車両を目視する可能性が高く、他車両の乗員が広告を視聴したと判定することができる。
【００１８】
また、第１の発明の広告提示装置は、前記視聴判定手段による判定結果、及び前記広告対象への入店または購買を示す該広告対象の利用履歴に基づいて、前記他車両の乗員が、前記広告を視聴した後に前記広告対象を利用したか否かを判定する利用判定手段と、を含んで構成することができ、前記評価手段は、さらに、前記利用判定手段の判定結果に基づいて、前記提示車両による広告効果を評価することができる。これにより、広告の視聴に基づく広告効果の評価に加えて、広告対象への入店または購買に基づく広告効果の評価を行うことができる。
【００１９】
また、第２の発明の広告提示装置は、車外に向けて広告を提示するための提示手段を搭載した提示車両が、広告対象から所定範囲内に駐車した場合に、前記提示車両に搭載された提示手段に前記広告対象の広告が提示されるように該広告を示す情報を前記提示車両に配信する配信手段と、前記所定範囲内に存在する他者の位置情報、または前記広告対象への入店または購買を示す該広告対象の同時間帯における利用履歴に基づいて、前記他者が前記提示車両に搭載された提示手段に提示された広告を視聴したか否かを判定する視聴判定手段と、前記他者の前記利用履歴に基づいて、前記他者が前記広告対象へ入店するか否かを推定する推定手段と、前記視聴判定手段による判定結果、及び前記推定手段による推定結果に基づいて、前記提示車両による広告効果を評価する評価手段と、を含んで構成されている。
【００２０】
第２の発明の広告提示装置によれば、配信手段が、車外に向けて広告を提示するための提示手段を搭載した提示車両が、広告対象から所定範囲内に駐車した場合に、提示車両に搭載された提示手段に広告対象の広告が提示されるように広告を示す情報を提示車両に配信する。そして、視聴判定手段が、所定範囲内に存在する他者の位置情報、または広告対象への入店または購買を示す広告対象の同時間帯における利用履歴に基づいて、他者が提示車両に搭載された提示手段に提示された広告を視聴したか否かを判定する。また、推定手段が、他者の利用履歴に基づいて、他者が広告対象へ入店するか否かを推定する。そして、評価手段が、視聴判定手段による判定結果、及び推定手段による推定結果に基づいて、提示車両による広告効果を評価する。
【００２１】
このように、提示車両が車外に向けて広告を提示し、他者が提示車両に提示された広告を視聴したか否かの判定結果、及びその他者が広告対象へ入店するか否かの推定結果に基づいて、提示車両による広告効果を評価するため、広告の波及効果を高めると共に、広告効果を適切に評価することができる。
【００２２】
また、第２の発明において、前記配信手段は、前記所定範囲内に複数の提示車両が駐車された場合には、該複数の提示車両に搭載された提示手段各々を用いて、１つの広告が提示されるように該広告を示す情報を前記提示車両各々に配信することができる。これにより、興味を引き易い形態で広告を提示することができ、広告の波及効果をより高めることができる。
【００２３】
また、第３の発明の広告提示システムは、車外に向けて広告を提示するための提示手段と、位置情報を含む提示車両である自車両の情報を送信する第１送信手段と、配信された広告を前記提示手段に提示するように制御する提示制御手段と、を含む提示車両側に搭載される提示側装置と、前記提示車両と該提示車両に対して他車両となる自車両との相対位置関係に基づいて、前記他車両の乗員が前記提示車両に搭載された提示手段に提示された広告を視聴したか否かを判定する視聴判定手段と、前記他車両における経路検索で設定された経路、過去の移動履歴から推定される移動先、及び該他車両の現在位置から前記広告対象までの経路コストの少なくとも１つに基づいて、前記他車両が前記広告対象周辺へ移動するか否かを推定する推定手段と、前記視聴判定手段の判定結果、及び前記推定手段の推定結果を送信する第２送信手段と、を含む他車両側に搭載される他車両側装置と、前記提示車両から取得した該提示車両の情報に基づいて、該提示車両が広告対象から所定範囲内に存在すると判定した場合に、前記提示車両に前記広告対象の広告を示す情報を配信する配信手段と、前記他車両から取得した前記視聴判定手段による判定結果、及び前記推定手段による推定結果に基づいて、前記提示車両による広告効果を評価する評価手段と、を含む広告提示装置と、を含んで構成することができる。
【００２４】
また、第４の発明の広告提示プログラムは、コンピュータを、第１の発明または第２の発明の広告提示装置を構成する各手段として機能させるためのプログラムである。
【００２５】
なお、本発明のプログラムを記憶する記憶媒体は、特に限定されず、ハードディスクであってもよいし、ＲＯＭであってもよい。また、ＣＤ−ＲＯＭやＤＶＤディスク、光磁気ディスクやＩＣカードであってもよい。更にまた、該プログラムを、ネットワークに接続されたサーバ等からダウンロードするようにしてもよい。
【発明の効果】
【００２６】
以上説明したように、本発明の広告提示装置、システム、及びプログラムによれば、提示車両が車外に向けて広告を提示し、他車両の乗員が提示車両に提示された広告を視聴したか否かの判定結果、及び他車両が広告対象周辺に移動するか否かの推定結果に基づいて、提示車両による広告効果を評価するため、広告の波及効果を高めると共に、広告効果を適切に評価することができる、という効果が得られる。
【図面の簡単な説明】
【００２７】
【図１】本実施の形態の概要を説明するための概略図である。
【図２】第１の実施の形態の広告提示システムの概略構成を示すブロック図である。
【図３】提示車両に搭載される表示装置の一例を示す図である。
【図４】経路コストに基づく視聴車両の移動先推定を説明するための図である。
【図５】第１の実施の形態の広告提示装置における広告配信処理ルーチンの内容を示すフローチャートである。
【図６】第２の実施の形態の広告提示システムの概略構成を示すブロック図である。
【図７】第２の実施の形態の広告提示装置における後ポイント付与処理ルーチンの内容を示すフローチャートである。
【図８】第３の実施の形態の広告提示システムの概略構成を示すブロック図である。
【図９】複数台の提示車両による広告の表示の一例を示す図である。
【図１０】第３の実施の形態の広告提示装置における広告配信処理ルーチンの内容を示すフローチャートである。
【発明を実施するための形態】
【００２８】
以下、図面を参照して本発明の実施の形態を詳細に説明する。
【００２９】
本実施の形態の概要について、図１を参照して説明する。まず、広告対象となる店舗（広告主）が、広告提供サービス会社と広告提示に関する契約を行う。また、広告の提示を請け負う提示車両（Ａ）が広告提供サービス会社に登録する。そして、広告提供サービス会社において、提示車両と店舗との位置関係に基づいて、提示車両に店舗の広告を配信する。そして、提示車両周辺の他者（Ｂ）に対して提示車両が提示した広告の効果を判定した上で、広告提供サービス会社を介して、店舗から提示車両にポイントが付与される。本実施の形態では、特に、周辺他者に対して提示車両が提示した広告の効果を判定する点に特徴がある。以下、各実施の形態について、詳細に説明する。
【００３０】
図２に示すように、第１の実施の形態の広告提示システム１は、広告提供サービス会社等に設置される広告提示装置１０と、広告を提示する提示車両（車両Ａ）側に搭載される提示車両側装置５０と、広告を視聴する視聴車両（車両Ｂ）側に搭載される視聴車両側装置７０とを含んで構成されている。なお、視聴車両が本発明の他車両に相当する。
【００３１】
提示車両側装置５０は、提示車両側装置５０全体の制御を司るＣＰＵ、各種プログラム等を記憶した記憶媒体としてのＲＯＭ、ワークエリアとしてデータを一時格納するＲＡＭ、及びこれらを接続するバスを含んで構成されたコンピュータと、配信された広告を表示する表示装置５８とで構成することができる。このコンピュータは、機能的には、車両Ａ情報取得部５２と、表示制御部５４とを含んだ構成で表すことができる。
【００３２】
車両Ａ情報取得部５２は、車両Ａを識別するための識別情報、車両Ａの位置情報、及び車両Ａの進行方向ベクトル等の情報を取得して、広告提示装置１０へ送信する。
【００３３】
表示制御部５４は、広告提示装置１０から配信された広告を示す情報を受信して、受信した広告を示す情報に基づく広告を表示装置５８に表示するように制御する。
【００３４】
表示装置５８は、液晶パネル等で構成されており、提示車両の後部に提示車両の後続車両に向けて設置さる。表示装置５８には、広告提示装置１０から配信された広告を示す情報に基づいた広告が表示される。図３に、提示車両後部に設置された表示装置５８の一例を示す。
【００３５】
視聴車両側装置７０は、視聴車両側装置７０全体の制御を司るＣＰＵ、各種プログラム等を記憶した記憶媒体としてのＲＯＭ、ワークエリアとしてデータを一時格納するＲＡＭ、及びこれらを接続するバスを含むコンピュータで構成することができる。このコンピュータは、機能的には、車両Ｂ情報取得部７２と、経路記憶部７４と、視線認識部７６とを含んだ構成で表すことができる。
【００３６】
車両Ｂ情報取得部５２は、車両Ｂを識別するための識別情報、車両Ｂの位置情報、車両Ｂの進行方向ベクトル、経路記憶部７４に記憶された経路、視線認識部７６で認識された視線方向の情報等を取得して、広告提示装置１０へ送信する。
【００３７】
経路記憶部７４には、車両Ｂに搭載されたカーナビゲーション装置等で設定された経路、及び車両Ｂが実際に走行した経路等の情報が記憶される。
【００３８】
視線認識部７６は、車両Ｂの乗員の顔を含む領域を撮像する内向きカメラ、及び車両Ｂの前方を撮像する外向きカメラで各々撮像された画像に基づいて、車両Ｂの乗員の視線方向が、車両Ａの表示装置５８の方向を向いているか否かを認識する。
【００３９】
広告提示装置１０は、広告提示装置１０全体の制御を司るＣＰＵ、後述する広告配信処理ルーチンを含む広告提示プログラム等の各種プログラムを記憶した記憶媒体としてのＲＯＭ、ワークエリアとしてデータを一時格納するＲＡＭ、及びこれらを接続するバスを含むコンピュータで構成することができる。このコンピュータは、機能的には、広告情報記憶部１２と、配信制御部１４と、視聴判定部１６と、移動先推定部１８と、ポイント付与部２０と、ポイント記憶部２２とを含んだ構成で表すことができる。なお、ポイント付与部２０が、本発明の評価手段及び付与手段の一例である。
【００４０】
広告情報記憶部１２には、広告主の店舗の位置、及び提示する広告の内容が記憶されている。また、別に、広告を提示する提示車両の識別情報が事前に登録されている。
【００４１】
配信制御部１４は、車両Ａから送信された車両Ａの位置情報を取得し、広告対象の店舗から所定範囲内に車両Ａが存在するか否かを判定する。具体的には、車両Ａの現在位置（ｘａ，ｙａ）と、広告情報記憶部１２に記憶された各店舗の位置（ｘｓ，ｙｓ）との距離ｄを、下記（１）式により算出する。
【００４２】
【数１】
2013020432.tif 000003
【００４３】
そして、距離ｄが予め設定された閾値ｔｈｒ１より小さい店舗を抽出する。閾値ｔｈｒ１は、車両Ａが店舗から所定範囲内に存在するか否かを判定するための値である。条件を満たす店舗が複数ある場合には、全ての店舗を抽出してもよいし、距離ｄが最も小さい店舗を抽出するようにしてもよい。抽出された店舗について、広告情報記憶部１２に記憶された広告を示す情報を、車両Ａに配信する。複数の店舗の広告を配信する場合には、複数の広告が、車両Ａの表示装置５８に分割して表示されるか、所定時間毎に順番に表示されるように配信する。また、広告の提示期間も定めておく。提示期間は、提示開始から所定時間でもよいし、車両Ａが広告対象の店舗から所定範囲内に存在する期間としてもよい。
【００４４】
視聴判定部１６は、車両Ａから送信された車両Ａの情報、及び車両Ｂから送信された車両Ｂの情報に基づいて、車両Ｂの乗員が車両Ａの表示装置５８に表示された広告を視聴したか否かを判定する。具体的には、車両Ａの現在位置（ｘａ，ｙａ）及び進行方向ベクトル（ｖｘａ，ｖｙａ）と、車両Ａの周辺に存在する周辺車両の現在位置（ｘｉ，ｙｉ）及び進行方向ベクトル（ｖｘｉ，ｖｙｉ）とを取得し、下記（２）〜（４）式の条件を満たす周辺車両を、視聴車両（車両Ｂ）として抽出する。
【００４５】
【数２】
2013020432.tif 000004
【００４６】
ここで、ｔｈｒ２〜４は、予め設定された閾値であり、車両Ｂが車両Ａの後続車両であり、車両Ａと車両Ｂとが同一方向に、かつ一定の距離以内で走行している場合に、上記の条件は成立する。すなわち、車両Ｂの乗員の視界に車両Ａが入るような、車両Ａの直近後方を車両Ｂが走行している場合に成立するものである。上記条件が成立する場合には、車両Ｂの乗員は、直近前方の車両Ａの後部を目視すると考えられるため、車両Ｂの乗員が広告を視聴したと判定することができる。
【００４７】
さらに、車両Ｂの情報に含まれる視線方向の情報に基づいて、車両Ｂの乗員の視線方向が車両Ａの表示装置５８の方向を向いていると判定された場合には、車両Ｂの乗員が広告を視聴したと判定する。車両Ａと車両Ｂとの相対位置関係に加えて、車両Ｂの乗員の視線方向を用いることで、より正確に車両Ｂの乗員が広告を視聴したか否かを判定することができる。
【００４８】
移動先推定部１８は、車両Ｂから取得した車両Ｂの位置情報または経路情報に基づいて、車両Ｂの移動先が広告対象の店舗周辺か否かを判定する。ここで、店舗周辺とは、広告対象の店舗自体を含む。具体的には、車両Ｂにおいて設定された経路を経路情報として取得した場合には、設定した経路の目的地が店舗周辺である場合、または設定された経路上に店舗が存在する場合には、車両Ｂの移動先が広告対象の店舗周辺であると判定することができる。また、車両Ｂの過去の走行経路を経路情報として取得した場合には、車両Ｂが現在の位置または経路を過去に走行した際の目的地が広告対象の店舗周辺である場合、または過去に走行した経路上に広告対象の店舗周辺である場合には、車両Ｂの移動先が広告対象の店舗周辺であると判定することができる。
【００４９】
また、取得した車両Ｂの現在位置から広告対象の店舗までの経路コストに基づいて、車両Ｂの移動先を推定してもよい。具体的には、経路コストが予め定めた閾値ｔｈｒ５より小さい場合には、その経路が選択され易いことを表しているため、車両Ｂの移動先が広告対象の店舗周辺であると判定することができる。一方、経路コストが閾値ｔｈｒ５以上の場合には、その経路が選択され難いことを表しているため、車両Ｂの移動先が広告対象の店舗周辺ではないと判定することができる。例えば、図４に示すように、経路リンクに付与された、ある道路の通過し易さに対応する重み、交通分岐量等から経路コストを計算する。同図の場合、地点Ｐ（車両Ｂの現在位置）から地点Ｘ１のリンク平均最大経路コストは、０．７２（＝（０．３＋０．５＋１．０＋０．８＋１．０）／５）、地点Ｘ２への同コストは、０．４７５（＝（０３．＋０．１＋１．０＋０．５）／４）となる。例えば閾値ｔｈｒ５＝０．５とすると、広告対象の店舗が地点Ｘ１の場合には、車両Ｂの移動先が広告対象の店舗周辺ではない判定し、広告対象の店舗が地点Ｘ２の場合には、車両Ｂの移動先が広告対象の店舗周辺であると判定することができる。
【００５０】
ポイント付与手段は、視聴判定部１６の判定結果、及び移動先推定部１８の推定結果に基づいて、提示車両による広告効果を評価し、評価結果に基づいて、提示車両に対してポイントを付与する。具体的には、視聴判定部１６により、車両Ｂの乗員が車両Ａに提示された広告を視聴したと判定され、かつ移動先推定部１８により、車両Ｂの移動先が広告対象の店舗周辺であると判定された場合に、車両Ａに提示された広告の効果により、車両Ｂが広告対象の店舗周辺へ移動した、すなわち、車両Ａによる広告効果が高いと判定する。そして、この場合に、車両Ｂの乗員による広告視聴に対するポイントを車両Ａに付与する。付与されたポイントは、車両Ａの識別情報と対応付けて、ポイント記憶部２２に記憶する。
【００５１】
次に、第１の実施の形態の広告提示システム１の作用について説明する。広告提示装置１０において、提示車両側装置５０及び視聴車両側装置７０からの情報を所定間隔で取得しながら、図５に示す広告配信処理ルーチンが実行される。
【００５２】
まず、ステップ１００で、車両Ａから、車両Ａの識別情報、車両Ａの現在位置情報、及び車両Ａの進行方向ベクトル等の情報を含む車両Ａの情報を取得する。
【００５３】
次に、ステップ１０２で、広告対象の店舗から所定範囲内、すなわち店舗周辺に車両Ａが存在するか否かを判定する。具体的には、上記ステップ１００で取得された車両Ａの現在位置（ｘａ，ｙａ）と、広告情報記憶部１２に記憶された各店舗の位置（ｘｓ，ｙｓ）との距離ｄを算出する。そして、距離ｄが予め設定された閾値ｔｈｒ１より小さい店舗が抽出された場合には、広告対象の店舗周辺に車両Ａが存在すると判定する。店舗周辺に車両Ａが存在すると判定された場合には、抽出された店舗を店舗Ｘとして、ステップ１０４へ移行し、店舗周辺に車両Ａが存在しないと判定された場合には、ステップ１００へ戻る。
【００５４】
ステップ１０４では、上記ステップ１０２で抽出された店舗Ｘの広告を示す情報を、広告情報記憶部１２から取得して、車両Ａに配信する。
【００５５】
次に、ステップ１０６で、車両Ａの周辺車両から、周辺車両の識別情報、位置情報、進行方向ベクトル、経路記憶部７４に記憶された経路、周辺車両の乗員の視線方向を含む情報を取得する。
【００５６】
次に、ステップ１０８で、車両Ｂの乗員が車両Ａの表示装置５８に表示された広告を視聴したか否かを判定する。具体的には、上記ステップ１００で取得した車両Ａの現在位置（ｘａ，ｙａ）及び進行方向ベクトル（ｖｘａ，ｖｙａ）と、上記ステップ１０６で取得した車両Ａの周辺車両の現在位置（ｘｉ，ｙｉ）及び進行方向ベクトル（ｖｘｉ，ｖｙｉ）とに基づいて、（２）〜（４）式の条件を満たす周辺車両を、視聴車両（車両Ｂ）として抽出する。抽出された車両Ｂの情報に含まれる視線方向の情報に基づいて、車両Ｂの乗員の視線方向が車両Ａの表示装置５８の方向を向いていると判定される場合には、車両Ｂの乗員が広告を視聴したと判定する。車両Ｂの乗員が広告を視聴したと判定された場合には、ステップ１１０へ移行し、条件を満たす車両Ｂが抽出されなかった場合、または車両Ｂの乗員の視線方向が車両Ａの表示装置５８の方向を向いていないと判定された場合には、ステップ１１２へ移行する。
【００５７】
ステップ１１０では、上記ステップ１０８で抽出された車両Ｂの位置情報または経路情報に基づいて、車両Ｂの移動先が店舗Ｘ周辺か否かを判定する。例えば、車両Ｂにおいて設定された経路上に店舗Ｘが存在する、過去の車両Ｂの走行経路に店舗Ｘが存在する、車両Ｂから店舗Ｘまでの経路コストが閾値ｔｈｒ５より小さい等の場合には、車両Ｂの移動先が店舗Ｘ周辺であると判定する。車両Ｂの移動先が店舗Ｘ周辺であると判定された場合には、ステップ１１４へ移行し、店舗Ｘ周辺ではないと判定された場合には、ステップ１１２へ移行する。
【００５８】
ステップ１１２では、車両Ａに配信した広告の提示期間が終了したか否かを判定する。例えば、広告の配信から予め定めた所定時間を経過した場合や、車両Ａと店舗Ｘとの距離ｄが閾値ｔｈｒ１を越えた場合には、広告の提示期間が終了したと判定して処理を終了し、提示期間が終了していないと判定された場合には、ステップ１０６へ戻る。
【００５９】
ステップ１１４では、車両Ａに対してポイントを付与し、付与したポイントと車両Ａを識別するための情報とを対応付けて、ポイント記憶部２２に記憶して、処理を終了する。
【００６０】
以上説明したように、第１の実施の形態の広告提示システムによれば、提示車両が車外に向けて広告を提示し、視聴車両の乗員が提示車両に提示された広告を視聴したと判定された場合、及び視聴車両が広告対象周辺に移動すると推定された場合に、提示車両に対してポイントが付与されるため、広告の波及効果を高めると共に、提示車両による広告効果を適切に評価したポイントを提示車両側に付与することができる。
【００６１】
なお、第１の実施の形態では、車両Ｂの乗員の視線を認識する視線認識部を、車両Ｂ側に設ける場合について説明したが、車両Ａ側に設けてもよい。この場合、車両Ａ側に後続車両を含む領域を撮像するカメラを設けて、撮像された画像に基づいて、後続車両（車両Ｂ）の乗員の視線方向を認識する。また、周辺車両を検出するレーザレーダ等の検出手段を車両Ａまたは車両Ｂに設け、車両Ｂの乗員の視覚範囲内に車両Ａが検出された場合に、車両Ｂの乗員の視線方向が表示装置の方向を向いているとみなすようにしてもよい。車両Ｂの乗員の視覚範囲は予め定めておくことができる。
【００６２】
また、第１の実施の形態では、乗員Ｂが広告を視聴したか否かの判定において、車両Ａ及び車両Ｂの位置情報及び進行方向ベクトルに基づく車両Ａと車両Ｂとの相対位置関係を用いる場合について説明したが、上記のレーザレーダ等の検出手段の検出結果を用いて判定してもよい。具体的には、検出手段により、車両Ａと車両Ｂとの距離が所定範囲内で、かつ車両Ｂの乗員の視覚範囲内に車両Ａが検出された場合に、車両Ｂの乗員が広告を視聴したと判定してもよい。
【００６３】
次に、第２の実施の形態について説明する。なお、第１の実施の形態の広告提示システムと同様の構成については、同一符号を付して、詳細な説明を省略する。
【００６４】
図６に示すように、第２の実施の形態の広告提示システム２は、広告提供サービス会社等に設置される広告提示装置２１０と、広告を提示する提示車両（車両Ａ）側に搭載される提示車両側装置５０と、広告を視聴する視聴車両（車両Ｂ）側に搭載される視聴車両側装置２７０とを含んで構成されている。
【００６５】
視聴車両側装置２７０を構成するコンピュータは、機能的には、車両Ｂ情報取得部２７２と、経路記憶部７４と、視聴判定部７８と、移動先推定部８０とを含んだ構成で表すことができる。
【００６６】
車両Ｂ情報取得部２７２は、車両Ｂの識別情報、車両Ｂの位置情報、車両Ｂの進行方向ベクトル、経路記憶部７４に記憶された経路、視聴判定部７８での判定結果、及び移動先推定部８０での推定結果を取得して、広告提示装置１０へ送信する。
【００６７】
視聴判定部７８は、第１の実施の形態の広告提示装置１０の視聴判定部１６と同様の処理を、視聴車両側装置２７０で行うものである。具体的には、車両Ａの現在位置（ｘａ，ｙａ）及び進行方向ベクトル（ｖｘａ，ｖｙａ）を車車間通信等で取得し、車両Ａの現在位置（ｘａ，ｙａ）及び進行方向ベクトル（ｖｘａ，ｖｙａ）と自車両の現在位置（ｘｉ，ｙｉ）及び進行方向ベクトル（ｖｘｉ，ｖｙｉ）とに基づいて、車両Ａに対する自車両の相対位置関係が、（２）〜（４）式の条件を満たすか否かを判定する。自車両（車両Ｂ）がこの条件を満たす場合には、車両Ｂの乗員が広告を視聴したと判定することができる。
【００６８】
移動先推定部８０は、第１の実施の形態の広告提示装置１０の移動先推定部１８と同様の処理を、視聴車両側装置２７０で行うものである。
【００６９】
広告提示装置２１０を構成するコンピュータは、機能的には、広告情報記憶部１２と、配信制御部２１４と、視聴情報記憶部２４と、購買判定部２６と、ポイント付与部２２０と、ポイント記憶部２２とを含んだ構成で表すことができる。なお、購買判定部２６が、本発明の利用判定手段の一例である。
【００７０】
配信制御部２１４は、第１の実施の形態の広告提示装置１０の配信制御部１４と同様に、車両Ａと広告対象の店舗との位置関係に基づいて、車両Ａに広告を配信すると共に、車両Ａの識別情報、配信した広告及び店舗の情報、提示期間（配信時刻〜提示終了時刻）の情報を含む広告提示情報を視聴情報記憶部２４に記憶する。
【００７１】
視聴情報記憶部２４には、車両Ｂから取得した車両Ｂの情報に含まれる、視聴判定部７８による判定結果（以下、視聴情報ともいう）が、既に記憶されている広告提示情報と対応付けて記憶される。なお、視聴情報には、車両Ｂの乗員が視聴したと判定された広告を提示した車両Ａの識別情報、広告を視聴した時刻も含まれている。この車両Ａの識別情報及び広告を視聴した時刻と、既に記憶されている広告提示情報の車両Ａの識別情報及び提示期間とに基づいて、視聴情報と広告提示情報とが対応付けられる。
【００７２】
購買判定部２６は、視聴情報記憶部２４に記憶された視聴情報及び広告情報と、広告対象の店舗から取得した購買データとに基づいて、車両Ｂの乗員が、車両Ａが提示した広告を視聴した後に、その店舗で商品を購買したか否かを判定する。購買データは、商品を購入した乗員が乗車する車両Ｂの識別情報、購入した商品、購買時刻等の情報を含む。具体的には、購買判定部２６は、購買時刻が視聴時刻より後であって、車両Ａが提示した広告の対象となった店舗で商品を購入した、またはその店舗において、広告の対象となった商品を購入したか否かを判定する。
【００７３】
ポイント付与部２２０は、車両Ｂから取得した視聴判定部７８の判定結果及び移動先推定部８０の推定結果に基づいて、第１の実施の形態の広告提示装置１０のポイント付与部２０と同様に、車両Ｂの視聴に基づくポイントを、車両Ａに付与する。また、購買判定部２６の判定結果に基づいて、車両Ａに提示された広告の効果により、車両Ｂの乗員が広告対象の店舗で購買行動を起こしたと判定される場合に、さらにポイントを付与する。付与されたポイントは、車両Ａを識別するための情報と対応付けて、ポイント記憶部２２に記憶する。
【００７４】
次に、第２の実施の形態の広告提示システム２の作用について説明する。広告提示装置２１０において実行される広告配信処理ルーチンは、視聴車両側装置２７０で行われた視聴判定及び移動先推定の結果を取得して、ステップ１０８及び１１０の処理を行う点、及び配信した広告に関する広告情報を視聴情報記憶部２４に記憶する点が、第１の実施の形態における広告配信処理ルーチンと異なるだけであるので、説明を省略する。
【００７５】
次に、広告提示装置２１０により配信した広告の提示期間が終了してから所定時間後に、広告提示装置２１０において、図７に示す後ポイント付与処理ルーチンが実行される。
【００７６】
ステップ２００で、配信された広告の対象となった店舗Ｘの、商品を購入した乗員が乗車する車両Ｂの識別情報、購入した商品、購買時刻等の情報を含む購買データを、店舗Ｘから取得する。
【００７７】
次に、ステップ２０２で、視聴情報記憶部２４に記憶された視聴情報及び広告情報と、上記ステップ２００で取得した店舗Ｘの購買データとに基づいて、車両Ｂの乗員が、車両Ａが提示した広告を視聴した後に、店舗Ｘで商品を購買したか、または店舗Ｘで広告の対象となった商品を購入したか否かを判定する。車両Ｂの乗員が、車両Ａの広告を視聴して購買行動を起こしたと判定される場合には、ステップ２０４へ移行し、車両Ｂの乗員による商品購入に対するポイントを付与して、処理を終了する。一方、車両Ｂの乗員による、車両Ａの広告視聴に基づく購買行動が確認されなかった場合には、ステップ２０４をスキップして、そのまま終了する。
【００７８】
以上説明したように、第２の実施の形態の広告提示システムによれば、提示車両に提示された広告を視聴したと判定された視聴車両の乗員の実際の購買行動に基づいて広告効果を評価するため、より適切に広告効果を評価することができる。
【００７９】
なお、第２の実施の形態においても、視線認識部を視聴車両側装置または提示車両側装置に設けて、車両Ｂの乗員の視線方向を認識し、その認識結果も合わせて、車両Ｂの乗員が広告を視聴したか否かを判定するようにしてもよい。
【００８０】
また、第２の実施の形態では、乗員Ｂが広告を視聴したか否かの判定において、車両Ａ及び車両Ｂの位置情報及び進行方向ベクトルに基づく車両Ａと車両Ｂとの相対位置関係を用いる場合について説明したが、レーザレーダ等の検出手段の検出結果を用いて判定してもよい。具体的には、検出手段により、車両Ａと車両Ｂとの距離が所定範囲内で、かつ車両Ｂの乗員の視覚範囲内に車両Ａが検出された場合に、車両Ｂの乗員が広告を視聴したと判定してもよい。
【００８１】
また、第２の実施の形態では、購買データを用いて、車両Ｂの乗員の実際の購買行動に基づくポイントを、車両Ａに付与する場合について説明したが、広告対象の店舗での商品の購入の有無に関わらず、車両Ｂの乗員が車両Ａの提示した広告を視聴した後に、その店舗へ入店した場合にも、ポイントを付与するようにしてもよい。この場合、車両Ｂの乗員が店舗へ入店した際に、車両Ｂの識別情報及び入店時刻を含む入店データを記録しておき、店舗から入店データを取得して、車両Ｂの乗員が車両Ａの提示した広告を視聴後に、その店舗へ入店したか否かを判定するようにするとよい。
【００８２】
また、第１及び第２の実施の形態では、提示車両側装置と視聴車両側装置とを別々に構成する場合について説明したが、両装置の各部の機能を１つのコンピュータで実現するような装置として構成してもよい。
【００８３】
また、第１及び第２の実施の形態では、車両Ａが広告対象の店舗から所定範囲内に存在する場合に、車両Ａにその店舗の広告を示す情報を配信する場合について説明したが、移動先推定部と同様の処理により、車両Ａについても移動先を推定し、車両Ａの移動先が広告対象の店舗である場合に、その店舗の広告を示す情報を配信するようにしてもよい。
【００８４】
次に、第３の実施の形態について説明する。なお、第１及び第２の実施の形態の広告提示システムと同様の構成については、同一符号を付して、詳細な説明を省略する。
【００８５】
図８に示すように、第３の実施の形態の広告提示システム３は、広告提供サービス会社等に設置される広告提示装置３１０と、広告を提示する提示車両（車両Ａ）側に搭載される提示車両側装置３５０とを含んで構成されている。
【００８６】
提示車両側装置３５０を構成するコンピュータは、機能的には、車両Ａ情報取得部３５２と、表示制御部５４とを含んだ構成で表すことができる。
【００８７】
車両Ａ情報取得部３５２は、第１の実施の形態の提示車両側装置５０の車両Ａ情報取得部５２と同様に、車両Ａの識別情報、車両Ａの位置情報、及び車両Ａの進行方向ベクトル等の情報を取得して、広告提示装置１０へ送信する。また、ここでの位置情報には、車両ＡがＥＶ車（電気自動車）で、広告対象の店舗の駐車場等に駐車して充電をしている場合には、駐車場に設置された充電装置から取得されるより詳細な位置情報を含むことができる。より詳細な位置情報とは、例えば、店舗のどのフロアに続く駐車場かを示す情報などである。
【００８８】
広告提示装置３１０を構成するコンピュータは、機能的には、広告情報記憶部１２と、配信制御部３１４と、入店履歴記憶部２８と、視聴判定部３１６と、移動先推定部３１８と、視聴情報記憶部２４と、購買判定部２６と、ポイント付与部２２０と、ポイント記憶部２２とを含んだ構成で表すことができる。
【００８９】
配信制御部３１４は、第２の実施の形態の広告提示装置１０の配信制御部１４と同様に、車両Ａと広告対象の店舗との位置関係に基づいて、車両Ａに広告を配信すると共に、車両Ａの識別情報、配信した広告及び店舗の情報、提示期間（配信時刻〜提示終了時刻）の情報を含む広告提示情報を視聴情報記憶部２４に記憶する。
【００９０】
また、車両Ａから駐車中の駐車場に設置された充電装置の位置情報を取得した場合には、その駐車場に対応する店舗の広告を示す情報を配信する。この際、同一の駐車場に、広告を提示する提示車両として登録されている他の提示車両が駐車されているか否かを判定し、同一の駐車場に複数台の提示車両が駐車されている場合には、その複数台の提示車両に搭載された表示装置５８各々を用いて、その店舗についての１つの広告が表示されるように、広告を示す情報を配信する。例えば、３台の提示車両の表示装置５８を用いて、図９に示すように広告を表示することができる。また、詳細な位置情報に基づいて、店舗のフロア毎に対応した広告を示す情報を配信する。例えば、詳細な位置情報が衣料品売り場フロアに続く駐車場を示している場合には、衣料品、食料品売り場の場合には食料品、シネマフロアの場合には、映画情報の広告を示す情報を配信する。
【００９１】
入店履歴記憶部２８には、各広告対象の店舗毎の時間帯別の入店者数、及びその店舗の駐車場の利用台数を示す入店履歴が記憶されている。
【００９２】
視聴判定部３１６は、入店履歴記憶部２８に記憶された、車両Ａにおける広告の提示期間と同一の時間帯の入店履歴に基づいて、車両Ａ周辺の他者が車両Ａの表示装置５８に表示された広告を視聴したか否かを判定する。具体的には、広告の提示期間と同一の時間帯における入店者数または利用台数が予め定めた閾値ｔｈｒ６以上の場合には、車両Ａ周辺の他者が車両Ａの表示装置５８に表示された広告を視聴したと判定する。また、視聴判定部３１６による判定結果を、視聴情報として視聴情報記憶部２４に記憶し、第２の実施の形態と同様に、実際の購買行動に対するポイント付与の際に使用する。
【００９３】
移動先推定部３１８は、入店履歴記憶部２８に記憶された、車両Ａにおける広告の提示期間と同一の時間帯の入店履歴に基づいて、車両Ａ周辺の他者が広告対象の店舗へ移動するか否かを推定する。具体的には、広告の提示期間と同一の時間帯における駐車場の利用台数に対する店舗への入店者数の割合が予め定めた閾値ｔｈｒ７以上の場合には、車両Ａ周辺の他者が広告対象の店舗へ移動すると推定する。
【００９４】
次に、第３の実施の形態の広告提示システム３の作用について説明する。広告提示装置３１０において、提示車両側装置３５０からの情報を所定間隔で取得しながら、図１０に示す広告配信処理ルーチンが実行される。なお、第１の実施の形態の広告配信処理ルーチンと同一の処理については、同一符号を付して、詳細な説明を省略する。
【００９５】
まず、ステップ３００で、車両Ａから、車両Ａの識別情報、及び車両Ａの現在位置情報を含む車両Ａの情報を取得する。
【００９６】
次に、ステップ３０２で、上記ステップ３００で取得した車両Ａの位置情報が、広告対象の店舗の駐車場に設置された充電装置の位置情報から取得された詳細な位置情報か否かを判定する。詳細な位置情報の場合には、その位置情報に対応する店舗を店舗Ｘとして抽出して、ステップ３０４へ移行する。詳細な位置情報ではない場合には、ステップ３００へ戻る。なお、本ステップで否定判定される場合には、第１の実施の形態の広告配信処理を実行するようにしてもよい。
【００９７】
次に、ステップ３０４で、上記ステップ３０２で抽出された店舗Ｘの駐車場に、提示車両が複数台駐車されているか否かを判定する。店舗Ｘのフロア毎に駐車場が異なる場合には、フロア毎に判定する。複数台駐車されている場合には、ステップ３０６へ移行し、複数台の提示車両に搭載された表示装置５８各々を用いて、店舗Ｘのその駐車場に対応するフロアについての１つの広告を示す情報を、車両Ａを含む複数台の提示車両に配信する。一方、複数台駐車されていない場合には、ステップ３０８へ移行して、その駐車場に対応するフロアについての広告を示す情報を、車両Ａに配信する。
【００９８】
次に、ステップ３０９で、入店履歴記憶部２８に記憶された、車両Ａにおける広告の提示期間と同一の時間帯の入店履歴に基づいて、車両Ａ周辺の他者が車両Ａの表示装置５８に表示された広告を視聴したか否かを判定する。例えば、広告の提示期間と同一の時間帯における入店者数または利用台数が予め定めた閾値ｔｈｒ６以上の場合には、車両Ａ周辺の他者が車両Ａの表示装置５８に表示された広告を視聴したと判定されて、ステップ３１２へ移行する。一方、入店者数または利用台数が閾値ｔｈｒ６未満の場合には、ステップ１１２へ移行する。
【００９９】
ステップ３１２では、入店履歴記憶部２８に記憶された、車両Ａにおける広告の提示期間と同一の時間帯の入店履歴に基づいて、車両Ａ周辺の他者が広告対象の店舗へ移動するか否かを推定する。例えば、広告の提示期間と同一の時間帯における駐車場の利用台数に対する店舗への入店者数の割合が予め定めた閾値ｔｈｒ７以上の場合には、車両Ａ周辺の他者が広告対象の店舗へ移動すると推定して、ステップ１１４へ移行する。一方、割合が閾値ｔｈｒ７未満の場合には、ステップ１１２へ移行する。
【０１００】
ステップ１１２では、車両Ａに配信した広告の提示期間が終了したか否かを判定し、終了した場合には、処理を終了し、終了していない場合には、ステップ３０９へ戻る。
【０１０１】
ステップ１１４では、車両Ａに対してポイントを付与し、付与したポイントと車両Ａを識別するための情報とを対応付けて、ポイント記憶部２２に記憶して、処理を終了する。
【０１０２】
また、第３の実施の形態においても、第１の実施の形態と同様に、広告提示装置３１０において後ポイント付与処理ルーチンが実行される。
【０１０３】
以上説明したように、第３の実施の形態の広告提示システムによれば、広告対象の店舗の駐車場に駐車した提示車両が車外に向けて広告を提示し、提示車両周辺の他者が提示車両に提示された広告を視聴したと判定された場合、及びその他者が店舗へ入店すると推定された場合に、提示車両に対してポイントが付与されるため、広告の波及効果を高めると共に、提示車両による広告効果を適切に評価したポイントを提示車両側に付与することができる。
【０１０４】
なお、第３の実施の形態では、入店履歴情報に基づいて、提示車両周辺の他者が車両Ａに提示された広告を視聴したか否かを判定する場合について説明したが、他者の位置情報を取得して判定するようにしてもよい。この場合、他者が周辺車両の乗員の場合には、その車両の位置情報を取得し、また、他者が歩行者の場合には、歩行者が携帯する携帯端末等から位置情報を取得し、取得した位置情報に基づいて、周辺他者が同一の駐車場内に存在すると判定された場合に、その他者が広告を視聴したと判定することができる。
【０１０５】
また、上記第１〜第３の実施の形態では、提示車両後部に表示装置を設ける場合について説明したが、提示車両の側面や前面に表示装置を設けてもよい。この場合、視聴車両の乗員が広告を視聴したか否かを判定する際には、（２）〜（４）式の閾値を適切に設定するなどして、視聴車両の乗員が提示車両を目視する可能性が高い提示車両と視聴車両との相対位置関係となっているかを判定するようにするとよい。
【符号の説明】
【０１０６】
１、２、３    広告提示システム
１０、２１０、３１０ 広告提示装置
１２   広告情報記憶部
１４、２１４、３１４ 配信制御部
１６、３１６  広告提示装置の視聴判定部
１８、３１８  広告提示装置の移動先推定部
２０、２２０  ポイント付与部
２２   ポイント記憶部
２４   視聴情報記憶部
２６   購買判定部
２８   入店履歴記憶部
５０、３５０  提示車両側装置
５２、３５２  車両Ａ情報取得部
５４   表示制御部
５８   表示装置
７０、２７０  視聴車両側装置
７２、２７２  車両Ｂ情報取得部
７４   経路記憶部
７６   視線認識部
７８   視聴車両側装置の視聴判定部
８０   視聴車両側装置の移動先推定部
【図１】
2013020432.tif 000005
【図２】
2013020432.tif 000006
【図３】
2013020432.tif 000007
【図４】
2013020432.tif 000008
【図５】
2013020432.tif 000009
【図６】
2013020432.tif 000010
【図７】
2013020432.tif 000011
【図８】
2013020432.tif 000012
【図９】
2013020432.tif 000013
【図１０】
2013020432.tif 000014